(57)【特許請求の範囲】
【請求項１】
上下ヨークと、永久磁石と、フェライトと、中心導体とを有し、前記フェライトに電気的絶縁状態で、かつ所定間隔ごとに交差状に配置された複数の中心導体を配置した中心導体組立品の一端部に整合回路素子を接続してなる非可逆回路素子において、
入出力端子用のポート電極と、一体の薄板で形成したベースアース板と接地用のポート電極とを樹脂により鋳包むとともに、ベースアース板上に前記樹脂による仕切りを設けて前記中心導体組立品と整合回路素子各々を受け入れる空洞を形成した樹脂ケースを持ち、
入出力端子用のポート電極から連続している樹脂ケース内の電極がベースアース板よりも高い位置に設けられており、
その樹脂ケースの各空洞に前記中心導体組立品と整合回路素子とをそれぞれ挿入位置決めし、前記各整合回路素子の一方の電極を前記樹脂ケースの底部に設けたベースアース板に接続するとともに、前記各中心導体の一方の端部を前記ベースアース板に接続し、中心導体の他方の端部は各整合回路素子の他方の電極及び入出力端子用のポート電極から連続している樹脂ケース内の前記電極に接続した一体の組立品となっていることを特徴とする非可逆回路素子。
【請求項２】
入出力端子用のポート電極から連続している樹脂ケース内の前記電極がベースアース板よりも整合回路素子の厚み分高い位置に設けられている請求項１記載の非可逆回路素子。
【発明の詳細な説明】
【０００１】
【発明の属する技術分野】
本発明は、非可逆回路素子、例えばアイソレータ、サーキュレータに関し、部品の小型化を図れ、位置ずれを防止できるとともに、生産性を向上できるようにした構造に関するものである。
【０００２】
【従来の技術】
一般にアイソレータ、サーキュレータ等の非可逆回路素子は、信号の伝送方向にはほとんど減衰がなく、かつ逆方向には減衰が大きくなるような機能を有しており、例えばマイクロ波帯，ＵＨＦ帯で使用される携帯電話、自動車電話等の移動体通信機器の送受信回路部に用いられている。
【０００３】
図１１及び１２に分解斜視図で従来の非可逆回路素子を示す。これらの図で、２１、３１は上ヨーク、２２、３２は軸方向に磁化した円柱状永久磁石、２３、３４は中心導体組立品、２６、３７は下ヨークである。中心導体組立品２３、３４は、円板状の中心円形部から外形方向に同じ間隔を開けて突出しているストリップラインの中心導体を交差状に折り込んで、円柱状をしたガーネットなどの材質のフェライトを包み込んだようになっており、中心導体同士の間は電気的に絶縁されたものである。通常は中心導体は３本あり、その互いの間は１２０°間隔となっている。
【０００４】
図１１に示す非可逆回路素子では、２４は誘電体基板で、基板の両面にＡｇ−ＰｄまたはＡｇ−Ｐｔの導体膜が形成されて、これにより３個のコンデンサーが形成されて、その一部の上に抵抗が印刷で作られている。２５はアース板で、その両側にアース端子２５ａ、２５ｂが作られている。プリント板２７の上に、下ヨーク２６、アース板２５、誘電体基板２４、中心導体組立品２３を順に積み上げて、誘電体基板２４の下側の導体膜及び中心導体の中心円形部の接地部をアース板に半田付けする。中心導体の端子２３ａ、２３ｂを、誘電体基板２４の各コンデンサーの上側電極と接続するとともにプリント板２７の裏面に折り曲げて面実装端子とする。中心導体の他の端子は誘電体基板２４のもう一つのコンデンサーの上側端子と半田付けして接続する。この非可逆回路素子をアイソレーターとして用いる場合は中心導体の前記他の端子は抵抗にも接続される。アース板２５のアース端子２５ａ、２５ｂもプリント板２７の裏面に折り曲げて面実装端子となる。中心導体組立品２３の上に、磁石２２が載せられ、その上から上ヨーク２１を被せて、上ヨーク２１、磁石２２、中心導体組立品２３のフェライト、下ヨーク２６で閉磁路を形成するとともに、上ヨーク２１と下ヨーク２６で電磁シールドとなっている。このように、誘電体基板２４に導体膜パターンを形成したコンデンサーでは誘電体基板２４は形状が複雑な上、高精度の抵抗膜と導体膜を形成するので高価となり、構造上低コスト化には自ずと限界がある。また、この非可逆回路素子のように、端子２３ａ，２３ｂ，２５ａ，２５ｂをプリント板２７の裏面へ折り曲げて面実装端子を形成するために組立工数がかかる上、組み立ての自動化を困難にしている。端子２３ａ，２３ｂをプリント板２７の裏面へ折り曲げるときに、端子と下ヨーク２６との電気的絶縁を確保するためにプリント板２７ないしは同等の絶縁板が必要であるため、薄型化を困難にしている。
【０００５】
そこで、図１２に示すように、大きな誘電体基板２４に代えて、上下面に電極を付けてコンデンサーとなる誘電体基板片３５ａ，３５ｂ，３５ｃ及びチップ抵抗３６を用い、中心導体組立品３４及びこれら誘電体基板片とチップ抵抗などの整合回路素子を下ヨーク３７の内面に設置して、中心導体組立品３４の中心導体の中心円形部と整合回路素子の接地側の電極を下ヨーク３７の内面に半田で接続したものを樹脂ケース３８内の電極に半田で接続して組み立てて、中心導体組立品３４の中心導体の入出力端子３４ｃ，３４ｅを誘電体基板片３５ａ，３５ｃのもう一方の電極（上側の電極）と樹脂ケース３８のポート電極３８ａ，３８ｂとに接続する。また、中心導体組立品３４のもう一方の中心導体の端子３４ｄを誘電体基板片３５ｂとチップ抵抗３６のもう一方の電極（上側の電極）に接続する。下ヨーク３７は樹脂ケース３８の内面にインサートされた電極に接続されているので、中心導体の中心円形部及び整合回路素子の接地側の電極は樹脂ケースの外面のアース端子に接続されることになる。この組立品の上に樹脂モールド３３が載せられ、その中央の開口に永久磁石３２が入り、その上から上ヨーク３１が組み立てられる。樹脂モールド３３の中央の開口の下半分には中心導体組立品３４を挿入できるようになっているとともに、その下面には３個の誘電体基板片３５ａ，３５ｂ，３５ｃ及びチップ抵抗３６を収容できる開口を持っており、樹脂モールド３３で中心導体組立品３４を動かないように保持位置決めをしている。また、上ヨーク３１と下ヨーク３７は組み合わせられて、これらと永久磁石３２と中心導体組立品３４のフェライトで閉磁路を形成するようになっている。上で述べたチップ抵抗３６はこの非可逆回路素子をアイソレーターとして用いる場合に必要で、サーキュレーターとして用いる場合には、中心導体の端子３４ｄは誘電体基板片３５ｂの上側の電極及び入出力端子（図示せず）に接続されることになる。
【０００６】
整合回路素子である誘電体基板片及びチップ抵抗、中心導体組立品は下ヨークの上に設置して、それらの下ヨーク側の各電極は下ヨークの上側面（内側面）に接続される。
【０００７】
この組立時に、整合回路素子片及び中心導体組立品を下ヨークの上側（内側）に配置して、半田付けを行わなければならないが、位置決めが困難で、多くの部品を動かないように取り扱わなければならないために、組み立てが難しくまた自動組立が難しい。
【０００８】
そこで、非可逆回路素子で、チップコンデンサーやチップ抵抗の位置及び中心導体組立品の位置を決めるために、中心導体組立品が中央の穴にまたがって乗るような電極基板と、その上に乗せられる位置決め部材を用いることが特開平５―３１５８１４号公報に開示されている。これでは、電極基板の穴にまたがって乗った中心導体組立品を囲うような形で電極基板の上に乗せられた位置決め部材があり、その下の面にチップコンデンサーやチップ抵抗を受け入れる凹部が設けられており、これらの凹部で各素子を被せるようにしながら、各中心導体、端子部、各素子の接続をするものである。
【０００９】
【発明が解決しようとする課題】
図１２に示す非可逆回路素子は、その組み立ての途中に整合回路素子や中心導体組立品が設置した場所からずれることがあった。誘電体基板片が中心導体のアース側と接触し、誘電体基板片同士が接触し、あるいは誘電体基板片が入出力端子上に乗り上げるなどの事故が生じて、非可逆回路素子が動作しないことがあった。また、素子片が移動して、浮遊容量が変動して挿入損失の増大につながることもあった。
【００１０】
また、このような素子の移動は、非可逆回路素子の組み立て後に、非可逆回路素子を実装する際や、過大な電力が流れて過熱した際にも、生じる可能性もあり信頼性に欠けるものであった。
【００１１】
前記公開公報記載の非可逆回路素子では、各整合回路素子と中心導体組立品の位置を正しく決めることが出来ると考えられる。しかし、電極基板と位置決め部材の間で各整合回路素子の電極と中心導体を電極基板のポート電極などの電極に半田付けする必要があるが、この接続作業が難しい。また、位置決め部材は下の面にチップコンデンサーやチップ抵抗を受け入れる凹部を持っているので、位置決め部材の下側からこれらを挿入するか、位置決め部材の下面を上にしておいて部品を凹部に挿入した後で反転させなければならない。その上、各部品がその凹部内で電極基板の電極に接触しているのかどうかを確認する必要がある。などで、作業性がそれ程良くなっているとはいえないものであった。
【００１２】
特に、移動体通信機器を小型化するために、非可逆回路素子を小さく、またその部品を小さくしていくと作業性が悪くなり、また位置ずれの問題が大きくなって来た。
【００１３】
本発明は、部品の小型化を図りながら、組み立て半田付け時の位置ずれ等を防止して、接続に対する信頼性を向上でき、さらには生産性を向上するとともに組み立ての自動化にも適した非可逆回路素子を提供することを目的とする。
【００１４】
【課題を解決するための手段】
本発明の非可逆回路素子は、上下ヨークと、永久磁石と、フェライトと、中心導体とを有し、前記フェライトに電気的絶縁状態で、かつ所定間隔ごとに交差状に配置された複数の中心導体を配置した中心導体組立品の一端部に整合回路素子を接続してなるものにおいて、
入出力端子用のポート電極と、一体の薄板で形成したベースアース板と接地用のポート電極とを樹脂により鋳包むとともに、ベースアース板上に前記樹脂による仕切りを設けて前記中心導体組立品と整合回路素子各々を受け入れる空洞を形成した樹脂ケースを持ち、
入出力端子用のポート電極から連続している樹脂ケース内の電極がベースアース板よりも高い位置に設けられており、
その樹脂ケースの各空洞に前記中心導体組立品と整合回路素子とをそれぞれ挿入位置決めし、前記各整合回路素子の一方の電極を前記樹脂ケースの底部に設けたベースアース板に接続するとともに、前記各中心導体の一方の端部を前記ベースアース板に接続し、中心導体の他方の端部は各整合回路素子の他方の電極及び入出力端子用のポート電極から連続している樹脂ケース内の前記電極に接続した一体の組立品となっていることを特徴とする。
本発明の非可逆回路素子において、入出力端子用のポート電極から連続している樹脂ケース内の電極がベースアース板よりも整合回路素子の厚み分高い位置に設けられていることが好ましい。
【００１５】
ベースアース板上に設けられた前記仕切りは樹脂ケースとともに樹脂成形したものであることが望ましい。中心導体組立品と整合回路素子各々を受け入れる空洞は、前記ベースアース板の一方側に設けられていることが望ましい。
【００１６】
前記各空洞は、受け入れるべき中心導体組立品、整合回路素子とほぼ同じ大きさにしてあることが好ましい。また、整合回路素子を受け入れるべき前記空洞のうちの一つは、２個の整合回路素子を収容できるだけの大きさを有していることが好ましい。
【００１７】
本発明においても、中心導体組立品に縦方向の磁界を印加するために永久磁石が中心導体組立品の上あるいは下、または上下に設置するとともに、軟鉄などのような高透磁率の薄板で作った上ヨークと下ヨークで中心導体組立品と永久磁石を包み込んで、電気・磁気のシールドとするとともに、閉磁路として中心導体組立品のガーネットなどのフェライトに印加される磁界強度を上げるとともに、磁界を安定にする。下ヨークの上側に樹脂ケースを装着することも出来るし、また、樹脂ケースの内側に下ヨークを装着することも可能である。
【００１８】
また、樹脂ケースの各空洞内に中心導体組立品と整合回路素子を挿入位置決め接続したものの上から、中央に永久磁石を入れる開口を持った樹脂モールドを設置して、これらを安定に保持することが好ましい。
【００１９】
上記の樹脂ケースの樹脂としては、射出成形することが出来るもので、耐熱性のあるものが好ましい。ポリイミド、ポリアミド、ポリテトラフルオロエチレン、ポリエステル、ＰＥＥＫ，ＰＰＳなどの熱可塑性樹脂、フェノール樹脂、エポキシ樹脂などの熱硬化性樹脂、また耐熱性を向上させるためにこれらの樹脂にガラスファイバーや石綿を入れたものを使うことが出来る。特に好ましいのは、液晶芳香族ポリエステルで、住友化学からスミカスーパー（商標）ＬＣＰのＥ５０００，Ｅ４０００，Ｅ６０００，Ｅ７０００シリーズとして販売されているものは、２８０℃以上の温度の半田浴に６０秒以上耐える。２６０〜２８０℃以上の温度に２分以上耐える耐熱性があり、半田洗浄剤にも耐える耐溶剤性に優れたもので、しかも成形時に狭い部分にも樹脂が入り込み、成形精度にも優れているものが望ましい。
【００２０】
【発明の実施の形態】
以下、図面に基づいて本発明の実施例を説明する。図１は、本発明の一実施例の非可逆回路素子の分解斜視図で、図２は、図１の非可逆回路素子で、樹脂ケースに整合回路素子と中心導体組立品を挿入組み立てたものの斜視図であり、図３は、図２のＺ−Ｚ'断面図である。図４は図１の非可逆回路素子に使用している樹脂ケースの（ａ）平面図、（ｂ）右側面図、（ｃ）正面図、（ｄ）底面図、であり、図５は図４（ａ）のＸーＸ'断面図である。図６及び７は、図１の非可逆回路素子に使用することの出来る樹脂ケースの変形例の平面図である。図８は本発明の他の実施例の非可逆回路素子の分解斜視図で、図９は図８の非可逆回路素子に使用している樹脂ケースの（ａ）平面図、（ｂ）右側面図、（ｃ）正面図、（ｄ）底面図、であり、図１０は図９（ａ）のＹ−Ｙ'断面図である。
【００２１】
まず、図１〜５を参照して、１は軟鉄など高透磁率材料で出来た上ヨークであり、同じく軟鉄など高透磁率材料で出来た下ヨーク８の蓋となるものである。２は軸方向に磁化したハードフェライト磁石などの円柱状永久磁石、３は中央に前記円柱状永久磁石を受け入れるための開口のある樹脂モールド、４は中心導体組立品である。中心導体組立品４は、銅などの電気良導体材料で作られた円板状の中心円形部から外径方向に同じ間隔を開けて（通常は１２０°間隔）突出しているストリップラインの中心導体を交差状に折り込んで、円柱状をしたガーネットなどの材質からなるフェライトを包み込んだようになっており、中心導体同士の間は電気的に絶縁されたものである。中心導体４ａ，４ｂなどの先端は、電極端子４ｃ，４ｄ，４ｅとなっている。整合回路素子として、上下面に電極の付けられた誘電体基板片５ａ，５ｂ，５ｃ及び上下面と一つの側面に電極が付いており上面の電極の一つと下面の電極の間で抵抗として機能するチップ抵抗６が用いられる。
【００２２】
７は樹脂ケースで、入出力端子用のポート電極７ａ，７ｂ，接地用のポート電極７ｃ，７ｄ、ケースの底を形成しているベースアース板７ｅとを、耐熱性樹脂で鋳包んで成形している。ポート電極７ａ，７ｂ，７ｃ，７ｄ及びベースアース板７ｅは、いずれも銅あるいは銅合金など電気良導体の薄板から出来ており、一枚の薄板からプレス成形などにより必要な形に打ち抜き成形し、周りが繋がった状態になっているものに耐熱性樹脂で射出成形して鋳包んだ後で、再度打ち抜き加工をして薄板の不必要な部分を取り去って樹脂ケース７の形状にする。アイソレーターの場合は、ベースアース板７ｅと接地用のポート電極７ｃ，７ｄは一体のものである。サーキュレータのようにポート電極７ｃ，７ｄのいずれか一方が入出力端子の一つとなっている場合には、その入出力端子となっているポート電極はベースアース板とは接続せず、中心導体組立品４の中心導体の端子４ｄを接続するために、樹脂ケース７に設けた別の端子に接続されている。
【００２３】
また、入出力端子であるポート電極７ａ，７ｂは、図５の断面図からわかるように、中心導体組立品４の中心導体の端子４ｅ，４ｃを接続するために樹脂ケース７内に設けた端子と連続して一体となっている。また、樹脂ケース７内に設けた端子はベースアース板よりも高い位置、好ましくは整合回路素子の厚み分高い位置に設けられている。樹脂ケース７は、外壁及び内部の仕切り７ｆ，７ｇ，７ｈを持っており、これらがいずれも耐熱性樹脂で成形されているものが好ましい。外壁と仕切り７ｆ，７ｇ，７ｈによって、中心導体組立品４と整合回路素子を受け入れるための空洞を形成し、ベースアース板が各空洞の底となっている。図２の組立品の斜視図からわかるように、各空洞に、中心導体組立品４、誘電体基板片５ａ，５ｂ，５ｃ、チップ抵抗６が入る。図４（ａ）の平面図で、仕切り７ｆと７ｇの上側になっている空洞には誘電体基板片５ｂとチップ抵抗６が入っている。これらの空洞の大きさ、特に幅、は各々の空洞に入れられる中心導体組立品、整合回路素子の大きさとほぼ同じにしておき、これらの部品を空洞に挿入組み立てが容易で奥まで挿入でき、組み立てた後で動くことの無いようにすることが好ましい。
【００２４】
このように樹脂ケース７に挿入組立した中心導体組立品４、整合回路素子は、それらの下側の電極をベースアース板に予め付けられていた半田で接続される。中心導体の端子４ｅは誘電体基板片５ｃの上側の電極及びポート電極７ａから連続しているケース内の電極に半田で接続され、中心導体の端子４ｃは誘電体基板片５ａの上側の電極及びポート電極７ｂから連続しているケース内の電極に半田で接続され、また、中心導体の端子４ｄは誘電体基板片５ｂとチップ抵抗６の上側の電極に半田で接続される。
【００２５】
中心導体組立品４と整合回路素子を組み込み接続した樹脂ケース７を下ヨーク８に載せ、その上に樹脂モールド３、永久磁石２、上ヨーク１を組み立てて非可逆回路素子となる。
【００２６】
以上説明したように、ベースアース板とポート電極を鋳包んだ樹脂ケース内に仕切りを設けて、仕切りの間に空洞を作り、その空洞に中心導体組立品と整合回路素子を組み込み接続しているので、その組み立ての作業性が良い。ケースの上からすべての作業が出来るので機械組立にも向いたものとなっている。また、部品の動きが仕切りで止められるので組み立てや実装時の位置ずれ等を防止でき、接続に対する信頼性を向上できた。また、電極端子とベース機能を一体に集約したので薄型化、小型化が可能となった。
【００２７】
図６に平面図で示す樹脂ケースは上で述べた実施例の非可逆回路素子に用いることの出来る変形例である。ポート電極７ａ１，７ｂ１，７ｃ１，７ｄ１はいずれも上のものと同じ位置にある。仕切りが上の例では中間で切れていたが、図６では互いに連続しているので、構成部品の位置決めと絶縁確保に一層効果的なものとなっている。
【００２８】
図７に平面図で示す樹脂ケースは上で述べた実施例の非可逆回路素子に用いることの出来る変形例である。ポート電極７ａ２，７ｂ２，７ｃ２，７ｄ２はいずれも上のものと同じ位置にある。誘電体基板片５ａ，５ｃを受け入れる空洞が、ポート電極７ａ２，７ｂ２と連続したケース内の電極と中心導体組立品を受け入れる空洞の間に配置されているので、誘電体基板片５ａ，５ｃは理想的なキャパシタンスとして機能させることが出来、一層の低損失化を図れるものである。
【００２９】
図８〜１０に示した非可逆回路素子は本発明の他の実施例である。ここで、１１は上ヨーク、１２は円柱状永久磁石、１３は樹脂モールド、１４は中心導体組立品、１５ａ，１５ｂ，１５ｃは誘電体基板片、１６はチップ抵抗、１７は下ヨーク、１８は樹脂ケースである。中心導体組立品１４の中心導体１４ａ，１４ｂ等の端子が１４ｅ，１４ｃ，１４ｄである。樹脂ケース１８は、入出力端子となるポート電極１８ａ，１８ｂ、接地端子となるポート電極１８ｃ，１８ｄ、ポート電極１８ｃ，１８ｄに連続したベースアース板１８ｅ、ポート電極１８ａ，１８ｂに連続したケース内電極が耐熱性樹脂で鋳包んで成形されており、外壁１８ｇ，仕切り１８ｆ，１８ｈ，１８ｉ，１８ｊが形成されてその間に中心導体組立品１４と整合回路素子である誘電体基板片及びチップ抵抗１６を受け入れる空洞が形成されている。この実施例の非可逆回路素子は、上で説明した図１〜５に示しているものとほぼ同じなので詳細な説明は省略する。
【００３０】
しかし、下ヨーク１７が樹脂ケース１８内に入り、その上に中心導体組立品１４と整合回路素子が入れられる構造となっている。このために、樹脂ケース１８が、最も下に来るので、非可逆回路素子の裏面の端子形状の設計の自由度が大きいものとなっている。
【００３１】
【発明の効果】
本発明の非可逆回路素子では、中心導体組立品と整合回路素子を受け入れる空洞を持った樹脂ケースを用い、この樹脂ケースはベースアース板とポート電極を鋳包んで一体にしているので、非可逆回路素子の薄型化、小型化が可能となった。また、この樹脂ケースはベースアース板上に仕切りを設けて中心導体組立品と整合回路素子を受け入れる空洞を分けているので、作業性（生産性）を向上することができ、部品の装着組立の自動化にも適したものである。特に、部品を受け入れる空洞をベースアース板の一方側に設けられているのが好ましく、その場合下に置いた樹脂ケースの上に部品を挿入して加熱することで組立接着が出来るので、自動機に向いたものとなる。また、部品の間に仕切りを設けているので、組立中及び実装時の部品の位置ずれを防止することが出来るので接続に対する信頼性を向上することが出来る。
【図面の簡単な説明】
【図１】本発明の一実施例の非可逆回路素子の分解斜視図である。
【図２】図１の非可逆回路素子で、樹脂ケースに整合回路素子と中心導体組立品を挿入組み立てたものの斜視図である。
【図３】図２のＺ−Ｚ'断面図である。
【図４】図１の非可逆回路素子に使用している樹脂ケースの（ａ）平面図、（ｂ）右側面図、（ｃ）正面図、（ｄ）底面図である。
【図５】図４（ａ）のＸ−Ｘ'断面図である。
【図６】図１の非可逆回路素子に使用することの出来る樹脂ケースの変形例の平面図である。
【図７】図１の非可逆回路素子に使用することの出来る樹脂ケースの他の変形例の平面図である。
【図８】本発明の他の実施例の非可逆回路素子の分解斜視図である。
【図９】図８の非可逆回路素子に使用している樹脂ケースの（ａ）平面図、（ｂ）右側面図、（ｃ）正面図、（ｄ）底面図である。
【図１０】図９（ａ）のＹーＹ'断面図である。
【図１１】従来の非可逆回路素子の一例の分解斜視図である。
【図１２】従来の他の非可逆回路素子の分解斜視図である。
【符号の説明】
２，１２，２２，３２：永久磁石
４，１４，２３，３４：中心導体組立品
４ａ，４ｂ，１４ａ，１４ｂ，３４ａ，３４ｂ：中心導体
４ｃ，４ｄ，４ｅ，１４ｃ，１４ｄ，１４ｅ，２３ａ，２３ｂ，３４ｃ，３４ｄ，３４ｅ：端子
７，１８：樹脂ケース
７ａ，７ｂ，７ｃ，７ｄ，７ａ１，７ｂ１，７ｃ１，７ｄ１，７ａ２，７ｂ２，７ｃ２，７ｄ２，１８ａ，１８ｂ，１８ｃ，１８ｄ：ポート電極
７ｅ，１８ｅ：ベースアース板
７ｆ，７ｇ，７ｈ，１８ｆ，１８ｈ，１８ｉ，１８ｊ：仕切り
５ａ，５ｂ，５ｃ，１５ａ，１５ｂ，１５ｃ：誘電体基板片
６，１６，３６：チップ抵抗
【図１】
0003675411.tif 000002
【図２】
0003675411.tif 000003
【図３】
0003675411.tif 000004
【図４】
0003675411.tif 000005
【図５】
0003675411.tif 000006
【図６】
0003675411.tif 000007
【図７】
0003675411.tif 000008
【図８】
0003675411.tif 000009
【図９】
0003675411.tif 000010
【図１０】
0003675411.tif 000011
【図１１】
0003675411.tif 000012
【図１２】
0003675411.tif 000013